(57)【要約】【課題】メンテナンス性に優れるとともに、長時間の発電を可能とし、かつ、発火のおそれも低減可能な電源装置を提供すること。【解決手段】ＬＰガスによりエンジンＥＮＧを駆動させ発電する発電機２０と、ＬＰガスが充填されたガスボンベ３０と、発電機２０の駆動を制御するコントローラ４０と、発電機２０、ガスボンベ３０、コントローラ４０を収容する筐体収容部１００を備えた筐体１０と、を備え、筐体収容部１００が、ガスボンベ収容部１１ａと、発電機収容部１１ｂと、コントローラ収容部１１ｃとに区画されているとともに、ガスボンベ収容部１１ａは、発電機収容部１１ｂおよびコントローラ収容部１１ｃに対し、防火隔壁１６で区画され、ガスボンベ３０から発電機２０へＬＰガスを供給するガスパイプ５０が、防火隔壁１６を除く壁（底壁１３）を貫通して配索されている電源装置とした。【選択図】図１
2018196181.tif 000002
【特許請求の範囲】
【請求項１】
液化ガスによりエンジンを駆動させ発電する発電機と、
前記液化ガスが充填されたガスボンベと、
前記発電機の駆動を制御するコントローラと、
前記発電機、前記ガスボンベ、前記コントローラを収容する筐体収容部を備えた筐体と、
を備えた電源装置であって、
前記筐体収容部が、ガスボンベ収容部と、発電機収容部と、コントローラ収容部とに区画され、かつ、前記ガスボンベ収容部と、前記発電機収容部および前記コントローラ収容部との区画には、防火隔壁が用いられ、
前記ガスボンベから前記発電機へ前記液化ガスを供給するガスパイプが、前記防火隔壁を除く壁を貫通して配索されている電源装置。
【請求項２】
請求項１に記載の電源装置において、
前記筐体収容部は、この筐体収容部の水平方向の外周を囲む側壁と、前記筐体収容部の下部を塞ぐ底壁と、前記筐体収容部の上部を塞ぐ天井壁と、を備え、
前記ガスパイプが前記底壁を貫通して配索されている電源装置。
【請求項３】
請求項２に記載の電源装置において、
前記防火隔壁は、前記筐体収容部を第１の収容部と第２の収容部とに水平方向に二分して、前記筐体収容部内に上下方向に延在して設けられ、
前記第１の収容部が、前記ガスボンベ収容部とされ、
前記第２の収容部が、その上下に区画する中間隔壁を挟んで、前記中間隔壁の下方に位置する前記発電機収容部と、前記中間隔壁の上方に位置するコントローラ収容部とに区画され、
前記ガスパイプは、前記底壁の前記発電機収容部の下部を塞ぐ部分と、前記底壁の前記ガスボンベ収容部の下部を塞ぐ部分とに貫通されている電源装置。
【請求項４】
請求項２に記載の電源装置において、
前記防火隔壁が、前記筐体収容部内を上下方向に延在された上下方向延在部と、前記天井壁と前記底壁との間であって、前記上下方向延在部の上端部から水平方向に延在された水平方向延在部とにより略Ｌ字断面形状に形成され、前記筐体収容部が、前記防火隔壁を挟んで、前記防火隔壁のＬ字の角部側であって前記水平方向延在部と前記底壁との間に位置する第１の収容部と、前記天井壁と、前記底壁および前記水平方向延在部との間で略Ｌ字状に形成された第２の収容部とに分割され、
前記第１の収容部が、前記ガスボンベ収容部とされ、
前記第２の収容部に、上下に区画する中間隔壁が設けられ、前記第２の収容部が、前記中間隔壁および前記水平方向延在部の上方に位置する前記発電機収容部と、前記中間隔壁の下方に位置するコントローラ収容部とに区画され、
前記ガスパイプは、前記底壁の前記ガスボンベ収容部の下部を塞ぐ部分に貫通されるとともに、前記底壁の前記コントローラ収容部の下部を塞ぐ部分に貫通され、さらに、前記コントローラ収容部を通り、前記中間隔壁を貫通して前記発電機収容部まで延在されている電源装置。
【請求項５】
請求項２〜請求項４のいずれか１項に記載の電源装置において、
前記底壁を支持する脚体が設けられて、前記底壁と前記筐体を支持する基礎部との間に空間部が形成され、
この空間部に、前記ガスパイプが配索されている電源装置。 
【請求項６】
請求項５に記載の電源装置において、
前記脚体が、前記空間部の外周を囲む筒状に形成されている電源装置。
【発明の詳細な説明】
【技術分野】
【０００１】
本発明は、発電機を備えた電源装置に関する。
【背景技術】
【０００２】
従来、発電機を備えた電源装置が知られている（例えば、特許文献１参照）。
この従来技術では、電源装置が、負荷としての信号機の近傍に配置され、通常は、商用電源を用いて負荷としての信号機を作動させ、商用電源の停電時には、電源装置の発電機を駆動させ、その発電電力により負荷を作動させるようにしている。
したがって、商用電源の停電時も、負荷の作動を維持することができる。
【先行技術文献】
【特許文献】
【０００３】
【特許文献１】特開２０１４−００７９３０号公報
【発明の概要】
【発明が解決しようとする課題】
【０００４】
しかしながら、上述の従来技術では、発電機として、液体燃料により駆動するディーゼルエンジンを用いている。
この液体燃料は、揮発性を有するため、発電機を常時稼働可能とするためには、揮発分の燃料を高い頻度で補充する必要があるため、メンテナンス性に難点があり、かつ、揮発した燃料の発火のおそれもあった。さらに、信号機の近傍に設置するものは、大型化が難しく、そのため、液体燃料の貯留量が制限され、長時間の発電を可能とする液体燃料の貯留が難しい。
【０００５】
本発明は、上記問題に着目してなされたもので、メンテナンス性に優れるとともに、発火のおそれも低減可能であり、しかも、長時間の発電を可能な電源装置を提供することを目的とする。
【課題を解決するための手段】
【０００６】
上記目的を達成するため、本開示のエンジン始動装置は、液化ガスによりエンジンを駆動させ発電する発電機と、前記液化ガスが充填されたガスボンベと、前記発電機の駆動を制御するコントローラと、前記発電機、前記ガスボンベ、前記コントローラを収容する筐体収容部を備えた筐体と、を備えた電源装置であって、前記筐体収容部が、ガスボンベ収容部と、発電機収容部と、コントローラ収容部とに区画され、かつ、前記ガスボンベ収容部と、前記発電機収容部および前記コントローラ収容部との区画には、防火隔壁が用いられ、前記ガスボンベから前記発電機へ前記液化ガスを供給するガスパイプが、前記防火隔壁を除く壁を貫通して配索されている電源装置とした。
【発明の効果】
【０００７】
本開示の電源装置では、エンジンの燃料として液化ガスを用いるため、燃料としてガソリンや軽油などの液体燃料を用いた場合と比較して、揮発による容量減のリスクが低い。このため、液化ガスの補充やガスタンクの交換頻度を抑えることができ、メンテナンス性に優れるとともに、発火のリスクも軽減できる。
加えて、ガスボンベ収容部と、発電機収容部およびコントローラ収容部とを、防火隔壁で区画し、この防火隔壁には、ガスパイプを貫通させない構造としている。このため、仮にガスタンクから液化ガスの漏れが生じた場合でも、発電機やコントローラの発熱による発火リスクを軽減できる。
さらに、液化ガスは、液体燃料と比較して、大容量の貯留が可能であり、これにより長時間の発電が可能である。
【図面の簡単な説明】
【０００８】
【図１】実施の形態１の電源装置を示す斜視図である。
【図２】実施の形態１の電源装置のコントローラを示すブロック図である。
【図３】実施の形態１の電源装置を示す断面図であって、図１のＳ３−Ｓ３線の位置での断面を示す。
【図４】実施の形態１の電源装置の要部を示す拡大断面図である。
【図５】実施の形態３の電源装置を示す断面図であって、図６のＳ５−Ｓ５線の位置での断面を示す。
【図６】実施の形態２の電源装置を示す斜視図である。
【発明を実施するための形態】
【０００９】
以下、本開示の電源装置を実現する最良の形態を、図面に基づいて説明する。
まず、実施の形態１の電源装置Ａの構成を説明するが、その説明にあたり、全体構成、筺体の構成、配管の構成の順に説明する。
【００１０】
（全体構成）
図１は、実施の形態１の電源装置Ａを示す斜視図であり、筐体１０と、発電機２０と、ガスボンベ３０と、コントローラ４０とを備えている。
【００１１】
発電機２０は、液化ガスとしてのＬＰガス（Liquefied Petroleum Gas(液化石油ガス)）によりエンジンＥＮＧを駆動させ、ジェネレータ（不図示）により回転エネルギを電気エネルギに変換して発電を行う。
また、発電機２０は、エンジンＥＮＧの始動時にエンジンＥＮＧをクランキングさせるスタータモータ（不図示）を駆動させるためのバッテリ２１を備える（図２参照）、なお、このクランキング時に、発電機２０のジェネレータ（不図示）をスタータモータとして駆動させてエンジンＥＮＧに動力を与えるようにしてもよい。
【００１２】
ガスボンベ３０，３０は、前述のＬＰガスを液体の状態で貯留する周知のタンクである。本実施の形態１では、ガスボンベ３０として、５０ｋｇの容量のものを２本用いている。そして、ガスボンベ３０のＬＰガスは、ガスパイプ５０（図３、図４参照）を介して発電機２０のエンジン（不図示）に供給可能となっている。
【００１３】
なお、ガスパイプ５０の途中には、図２に示すように、開閉弁５１と圧力調整器５２とが設けられている。
開閉弁５１は、常時、すなわち、発電機２０の非駆動時は、閉弁されており、発電機２０の駆動時に開弁されて、ガスボンベ３０内のＬＰガスを発電機２０のエンジン（不図示）のキャブレタ（不図示）に供給可能とする。
【００１４】
圧力調整器５２は、ガスボンベ３０のＬＰガスを減圧して、発電機２０のエンジンＥＮＧに供給する。すなわち、ガスボンベ３０内のガス圧は、０．４〜１．２ＭＰａであり、これを圧力調整器５２により、２．０〜３．３ｋＰａの低圧ガスとしてエンジンＥＮＧに供給する。なお、上記の開閉弁５１は、圧力調整器５２の入口側に組み込まれている。
【００１５】
コントローラ４０は、電源装置Ａから負荷３００（図２参照）への電力供給をコントロールする。
図２は、コントローラ４０の構成の概略を示すものであり、発電機２０に接続されているとともに、負荷３００および商用電源４００に接続されている。
【００１６】
負荷３００は、本実施の形態１では、信号機とするが、これに限定されるものではなく、照明など、常時、電力により駆動させる必要があるものを適用することができる。また、商用電源４００は、例えば、交流１００Ｖの電源である。
【００１７】
コントローラ４０は、負荷３００に対する電源として、商用電源４００と発電機２０とに切り替える制御を実行する。すなわち、商用電源４００から正常に電力供給が行われている場合は、商用電源４００を電源とし、商用電源４００の停電時および異常時には、発電機２０を駆動させ、発電機２０を電源とする制御を実行する。
【００１８】
このコントローラ４０は、端子台４１、電源切替部４２、自動運転制御回路４３、自動始動・自動停止制御部４４、手動運転制御部４５、自動メンテナンス運転制御部４６、充電回路４７、警報出力部４８を備える。
端子台４１は、負荷３００と商用電源４００とのそれぞれに接続する端子（不図示）を有する。
【００１９】
電源切替部４２は、負荷３００への電力の供給を、商用電源４００から供給可能な状態と、発電機２０から供給可能な状態に切り替えるスイッチ群により構成されている。また、この電源切替部４２を介して商用電源４００が充電回路４７に接続されており、この充電回路４７により商用電源４００の電力を直流に変換して、バッテリ２１に充電可能としている。
【００２０】
自動運転制御回路４３は、前述の電源切替部４２の切替動作と、発電機２０による発電およびその停止を制御する。すなわち、自動運転制御回路４３は、商用電源４００の電圧を検出する電圧センサ４３ａからの信号に基づいて、商用電源４００の状態（正常な状態か停電状態か）を監視し、商用電源４００が正常な電力供給状態である場合は、電源切替部４２により商用電源４００の電力を負荷３００に供給する。
【００２１】
一方、商用電源４００の停電時には、自動運転制御回路４３は、発電機２０を始動させ、かつ、電源切替部４２を、発電機２０の電力を負荷３００に供給する状態に切り替える。なお、発電機２０の発電時には、必要に応じ、バッテリ２１の充電を行う。
【００２２】
さらに、自動運転制御回路４３は、商用電源４００が復旧した場合には、発電機２０を停止させ、電源切替部４２を、商用電源４００の電力を負荷３００に供給する状態に切り替える。
【００２３】
なお、自動運転制御回路４３による自動運転は、コントローラ４０に設けられたスイッチ群７０の操作により、自動運転モードが選択された場合に実行される。また、スイッチ群７０には、詳細は省略するが、手動操作により発電機２０の始動、運転、停止の実行を可能とする手動モードに切り替えるためのスイッチなどを備える。
【００２４】
自動始動・自動停止制御部４４は、遠隔操作部６０からの操作に基づいて、電源切替部４２の切替動作と、発電機２０による発電およびその停止の制御を行う。ここで、遠隔操作部６０は、信号（負荷３００）の統合制御を行う信号管制センターなどに設けられ、遠隔地からの信号（負荷３００）の制御および信号（負荷３００）への電力供給の制御を可能とする。
【００２５】
手動運転制御部４５は、スイッチ群７０に含まれる図示を省略した始動スイッチ、停止スイッチの操作に応じて、発電機２０の始動、運転、停止の制御を行う。
自動メンテナンス運転制御部４６は、前述した自動モードの設定時に、定期的に、自動により発電機２０の始動、運転、停止を実行させる制御を行う。なお、この自動メンテナンス運転制御部４６の制御による発電機２０の駆動時には、電源切替部４２による電源の切り替えは行わない。
警報出力部４８は、ガス漏れセンサ４８ａが筐体１０内のガス漏れを検出した場合に、遠隔出力部６０にガス漏れを報せる出力を行う。
【００２６】
（筐体の構成）
次に、筐体１０の構成について説明する。
筐体１０は、鋼板製のもので、図１に示すように、筐体収容部１００を囲む直方体の箱状に形成されている。すなわち、筐体１０は、筐体収容部１００の水平方向（矢印Ｘおよび矢印Ｙ方向）を囲んで長方形の筒形状を成す４面の側壁１２と、筐体収容部１００の下端部を塞ぐ底壁１３と、筐体収容部１００の上端部を塞ぐ天井壁１４とから形成されている。なお、以下、図１において矢印Ｘの方向を横方向、矢印Ｙ方向を奥行き方向、矢印Ｚの方向を上下方向と称する。
【００２７】
さらに、筐体１０において底壁１３は、筒状の脚体１５に支持されて、基礎部ＧＲとの間に空間部Ｓを介在させて配置されている。なお、基礎部ＧＲは、地面の上にコンクリートを流し形成されている。
【００２８】
筐体収容部１００は、鋼板製の防火隔壁１６と中間隔壁１７とにより、ガスボンベ収容部１１ａと、発電機収容部１１ｂと、コントローラ収容部１１ｃとに区画されている。
防火隔壁１６は、他の各壁１２，１３，１４および後述の中間隔壁１７よりも厚肉であって、所望の防火性能を得るべく厚さが２．３ｍｍ以上の長方形の鋼板により形成され、筐体収容部１００の水平方向の中間部の位置で、上下方向に延在されている。したがって、防火隔壁１６により、筐体収容部１００が、第１の収容部１０１と第２の収容部１０２とに水平方向に二分されている。
【００２９】
そして、中間隔壁１７は、第２の収容部１０２の上下方向の中間の高さにおいて水平方向に延在されている。したがって、中間隔壁１７により、第２の収容部１０２が、上下方向でその下方の発電機収容部１１ｂと、その上方のコントローラ収容部１１ｃとに二分されている。
【００３０】
第１の収容部１０１は、ガスボンベ収容部１１ａとして用いられ、２本のガスボンベ３０，３０が収容されている。すなわち、ガスボンベ３０，３０は、ガスボンベ収容部１１ａにおいて、縦置きされて横方向に並んで配置されている。そして、このガスボンベ収容部１１ａに面する側壁１２の上部と下部に、図３に示すように、換気口１２ａ，１２ｂが開口されている。なお、換気口１２ａ，１２ｂには、複数のルーバーが設けられている。
【００３１】
発電機収容部１１ｂは、発電機２０が収容されている。そして、発電機収容部１１ｂに面する側壁１２には、換気口１２ｃが開口されている。この換気口１２ｃにも、複数のルーバーが設けられている。
そして、コントローラ収容部１１ｃには、コントローラ４０が収容されている。
【００３２】
次に、ガスボンベ３０，３０と発電機２０のエンジンＥＮＧとを接続するガスパイプ５０の配索について説明する。
図３に示すように、ガスパイプ５０は、防火隔壁１６を貫通することなく、ガスボンベ収容部１１ａの底壁１３を貫通し、底壁１３に沿って脚体１５の内側の空間部Ｓを通り、発電機収容部１１ｂの底壁１３を貫通して発電機２０のエンジンＥＮＧに接続されている。
【００３３】
すなわち、ガスパイプ５０は、２本のガスボンベ３０，３０に接続されたボンベ接続パイプ部５０ａ，５０ａが、圧力調整器５２に接続され、この圧力調整器５２から、１本に統合された統合部５０ｂが、ガスボンベ収容部１１ａ内を下方に延在されている。そして、統合部５０ｂは、ガスボンベ収容部１１ａ（第１の収容部１０１）の底壁１３を貫通し、底壁１３の下側の空間部Ｓを通り、発電機収容部１１ｂの下方位置で、上方に折曲されて発電機収容部１１ｂの底壁１３を貫通し、エンジンＥＮＧのキャブレータ（不図示）に接続されている。なお、ガスパイプ５０としては、ポリエチレン管、ステンレス管、鋼管およびこれらの組み合わせなどを用いることができる。
【００３４】
また、ガスパイプ５０において、底壁１３の貫通部分では、図４に示すように、Ｕ字状に折曲された金属製のＵ字パイプ５０ｃが設けられている。このＵ字パイプ５０ｃにおける底壁１３への貫通部では、Ｕ字パイプ５０ｃの外周に装着したナット５３を底壁１３に設けた締結部材５４に締結することにより、Ｕ字パイプ５０ｃを底壁１３に強固に固定するとともに、水密性を確保している。
【００３５】
（実施の形態１の効果）
以下に、実施の形態１の電源装置Ａの効果を列挙する。
１）実施の形態１の電源装置は、
液化ガスとしてのＬＰガスによりエンジンＥＮＧを駆動させ発電する発電機２０と、
ＬＰガスが充填されたガスボンベ３０と、
発電機２０の駆動を制御するコントローラ４０と、
発電機２０、ガスボンベ３０、コントローラ４０を収容する筐体収容部１００を備えた筐体１０と、
を備え、
筐体収容部１００が、ガスボンベ収容部１１ａと、発電機収容部１１ｂと、コントローラ収容部１１ｃとに区画され、かつ、ガスボンベ収容部１１ａが、発電機収容部１１ｂおよびコントローラ収容部１１ｃに対し防火隔壁１６で区画され、
ガスボンベ３０から発電機２０へＬＰガスを供給するガスパイプ５０が、防火隔壁１６を除く壁（底壁１３）を貫通して配索されている電源装置である。
したがって、エンジンＥＮＧの燃料としてＰガスを用いるため、燃料としてガソリンや軽油などの液体燃料を用いた場合と比較して、燃料が揮発するリスクが少なく燃料補充や交換頻度を抑えることができ、メンテナンス性に優れる。また、ＬＰガスは、液体燃料と比較して、大量の貯留が可能であり、それにより、長時間の発電が可能である。
また、ガスボンベ収容部１１ａと、発電機収容部１１ｂおよびコントローラ収容部１１ｃとは、防火隔壁１６により区画し、この防火隔壁１６には、ガスパイプ５０を貫通させない構造としている。このため、ＬＰガスに漏れが生じた場合でも、発電機２０やコントローラ４０の発熱による発火リスクを軽減できる。
【００３６】
２）実施の形態１の電源装置は、
筐体収容部１００は、この筐体収容部１００の水平方向の外周を囲む側壁１２と、筐体収容部１００の下部を塞ぐ底壁１３と、筐体収容部１００の上部を塞ぐ天井壁１４と、を備え、
ガスパイプ５０が、底壁１３を貫通して配索されている電源装置である。
したがって、ガスパイプ５０を、側壁１２や天井壁１４を貫通させた場合と比較して、ガスパイプ５０が破損する可能性を軽減できる。
【００３７】
３）実施の形態１の電源装置は、
防火隔壁１６は、筐体収容部１００を第１の収容部１０１と第２の収容部１０２とに水平方向に二分して、筐体収容部１００内に上下方向に延在して設けられ、
第１の収容部１０１が、ガスボンベ収容部１１ａとされ、
第２の収容部１０２が、中間隔壁１７により、中間隔壁１７の下方に位置する発電機収容部１１ｂと、中間隔壁１７の上方に位置するコントローラ収容部１１ｃとに区画され、
ガスパイプ５０は、底壁１３の発電機収容部１１ｂの下部を塞ぐ部分と、底壁１３のガスボンベ収容部１１ａの下部を塞ぐ部分とを貫通して配索されている電源装置。
ガスパイプ５０を接続する発電機収容部１１ｂを中間隔壁１７の下方に配置したため、発電機収容部を中間隔壁１７の上方に配置した場合よりも、ガスパイプ５０の全長を短くすることができる。
【００３８】
４）実施の形態１の電源装置は、
底壁１３を支持する脚体１５が設けられて、底壁１３と基礎部ＧＲとの間に空間部Ｓが形成され、この空間部Ｓに、ガスパイプ５０が配索されている電源装置である。
したがって、底壁１３を貫通させてガスパイプ５０を配索させるにあたって、底壁１３の下に空間部Ｓを有するため、その配索が容易である。
【００３９】
５）実施の形態１の電源装置は、
脚体１５が、空間部Ｓの外周を囲む筒状に形成されている電源装置である。
したがって、ガスパイプ５０を、筐体収容部１００の外に配索する構造でありながら、ガスパイプ５０が外部に露出されることが無く、ガスパイプ５０の破損を抑制できる。加えて、脚体１５を利用して、ガスパイプ５０を覆うことができ、ガスパイプ５０を覆うための専用の部材を設ける必要が無く、このような部材を追加する場合と比較して、部品点数を抑え、コスト軽減を図ることが可能である。
【００４０】
（他の実施の形態）
次に、他の実施の形態について説明する。
なお、他の実施の形態の説明において、他の実施の形態と共通する構成には当該実施の形態と同じ符号を付して説明を省略し、当該実施の形態との相違点のみ説明する。
【００４１】
（実施の形態２）
実施の形態２の電源装置は、筐体２１０が、実施の形態１で用いたガスボンベ３０よりも小型のガスボンベ２３０を収容するように形成したものであり、防火隔壁２１６の配置および形状が実施の形態１の防火隔壁１６と異なる。
【００４２】
図５は、実施の形態２の電源装置の断面図（図６のＳ５−Ｓ５の線の位置での断面）、図６は実施の形態２の電源装置の斜視図である。
【００４３】
図５に示すように、防火隔壁２１６が、上下方向延在部２１６ａと水平方向延在部２１６ｂとにより略Ｌ字断面形状に形成されている。上下方向延在部２１６ａは、筐体収容部２００内を水平方向に二分して上下方向に延在されている。水平方向延在部２１６ｂは、天井壁２１４と底壁２１３との間であって、上下方向延在部２１６ａの上端部から水平方向に延在されている。なお、防火隔壁２１６は、所望の防火性能を得るべく厚さが２．３ｍｍ以上に形成されている。
【００４４】
そして、筐体収容部２００は、防火隔壁２１６により第１の収容部２０１と第２の収容部２０２とに区画されている。すなわち、第１の収容部２０１は、上下を水平方向延在部２１６ｂと底壁２１３とにより上下を挟まれた部分である。一方、第２の収容部２０２は、天井壁２１４と、底壁２１３および水平方向延在部２１６ｂと、により上下を挟まれた略Ｌ字断面形状に形成された部分である。
【００４５】
そして、実施の形態１と同様に、第１の収容部２０１が、ガスボンベ２３０を収容するガスボンベ収容部２１１ａとされている。
一方、第２の収容部２０２が、その上下に区画する中間隔壁２１７で上下に区画されている。なお、この中間隔壁２１７は、防火隔壁２１６の水平方向延在部２１６ｂに水平方向に連続して設けられている。そして、筐体収容部２００においてこの中間隔壁２１７および水平方向延在部２１６ｂの上方に位置する部分が発電機収容部２１１ｂとされ、中間隔壁２１７の下方に位置する部分がコントローラ収容部２１１ｃとされている。
【００４６】
さらに、発電機収容部２１１ｂには、隔壁２１８が設けられ、その上部に排気ガス室２１１ｄが形成されている。この排気ガス室２１１ｄは、発電機２０のエンジン（不図示）の排気管（不図示）が接続されており、エンジン（不図示）の排気ガスが導入されるようになっている。なお、排気ガス室２１１ｄの上部の周囲が、排気口２１９として、略全周に亘って開口されている。なお、排気口２１９には、図示は省略するが、メッシュ材が設けられて、ゴミ、虫、鳥などの進入が防止されている。
また、実施の形態１と同様に、底壁２１３は、筒状の脚体２１５により支持されて、底壁２１３と基礎部ＧＲとの間には、空間部Ｓが形成されている。
【００４７】
ガスパイプ２５０は、ガスボンベ収容部２１１ａから、底壁２１３を貫通して、底壁２１３の下側の空間部Ｓを通り、さらに、底壁２１３を貫通してコントローラ収容部２１１ｃに配索されている。そして、ガスパイプ２５０は、コントローラ収容部２１１ｃ内を上下方向に延在され、中間隔壁２１７を貫通して発電機収容部２１１ｂまで延在されている。
【００４８】
2-1）実施の形態２の電源装置は、
防火隔壁２１６が、筐体収容部２００内を上下方向に延在された上下方向延在部２１６ａと、天井壁２１４と底壁２１３との間で、上下方向延在部２１６ａの上端部から水平方向に延在された水平方向延在部とにより略Ｌ字断面形状に形成され、筐体収容部２００が、防火隔壁２１６を挟んで、防火隔壁２１６のＬ字の角部側であって水平方向延在部２１６ｂと底壁２１３との間に位置する第１の収容部２０１と、天井壁２１４と、底壁２１３および水平方向延在部２１６ｂとの間で略Ｌ字状に形成された第２の収容部２０２とに分割され、
第１の収容部２０１が、ガスボンベ収容部２１１ａとされ、
第２の収容部２０２に、上下に区画する中間隔壁２１７が設けられ、第２の収容部２０２が、中間隔壁２１７および水平方向延在部２１６ｂの上方に位置する発電機収容部２１１ｂと、中間隔壁２１７の下方に位置するコントローラ収容部２１１ｃとに区画され、
ガスパイプ２５０は、底壁２１３のガスボンベ収容部２１１ａの下部を塞ぐ部分に貫通されるとともに、底壁２１３のコントローラ収容部２１１ｃの下部を塞ぐ部分に貫通され、さらに、コントローラ収容部２１１ｃを通り、中間隔壁２１７を貫通して発電機収容部２１１ｂまで延在されている。
したがって、筐体２１０の水平方向断面積および高さを抑えて、発電機２０、ガスボンベ２３０，２３０、コントローラ４０をコンパクトに収容することができる。
また、実施の形態２にあっても、上記１）、２）、４）、５）に記載した効果を得ることができる。
【００４９】
以上、本発明の電源装置を実施の形態に基づき説明してきたが、具体的な構成については、この実施の形態に限られるものではなく、特許請求の範囲の各請求項に係る発明の要旨を逸脱しない限り、設計の変更や追加等は許容される。
例えば、実施の形態では、ガスパイプを、筐体収容部の外部に一旦配索するにあたり、底壁の下に沿って配索させた例を示したが、ガスパイプが、防火隔壁を貫通しない構造であれば、これに限定されない。具体的には、側壁を貫通させて側壁に沿って配索させたり、天井壁を貫通させて天井壁に沿って配索させたりしてもよい。なお、このような場合には、ガスパイプを、カバーなどで覆うのが好ましい。
【００５０】
また、実施の形態では、発電機から供給する負荷として、信号機を示したが、負荷は、電力を供給されて駆動するものであれば、信号機に限られない。
また、防火隔壁の厚さ寸法としては、所望の防火性能が得られるものであれば、上記の寸法に限られるものではなく、必要な防火性能を満たす厚さに適宜設定してよい。
さらに、実施の形態では、ガスボンベ収容部、コントローラ収容部、発電機収容部のうちの２つの収容部を上下に重ねたものを示したが、これに限定されず、ガスボンベ収容部、コントローラ収容部、発電機収容部の全てを水平方向に並列に設けたり、その全てを上下に並列に設けたりしてもよい。
【符号の説明】
【００５１】
１０   筐体
１１ａ ガスボンベ収容部
１１ｂ 発電機収容部
１１ｃ コントローラ収容部
１２   側壁
１３   底壁
１４   天井壁
１５   脚体
１６   防火隔壁
１７   中間隔壁
２０   発電機
３０   ガスボンベ
４０   コントローラ
５０   ガスパイプ
１００ 筐体収容部
１０１ 第１の収容部
１０２ 第２の収容部
２００ 筐体収容部
２０１ 第１の収容部
２０２ 第２の収容部
２１０ 筐体
２１１ａ      ガスボンベ収容部
２１１ｂ      発電機収容部
２１１ｃ      コントローラ収容部
２１３ 底壁
２１４ 天井壁
２１５ 脚体
２１６ 防火隔壁
２１６ａ      上下方向延在部
２１６ｂ      水平方向延在部
２１７ 中間隔壁
２３０ ガスボンベ
２５０ ガスパイプ
３００ 負荷
４００ 商用電源
Ａ     電源装置
ＥＮＧ エンジン
ＧＲ   基礎部
Ｓ     空間部
【図１】
2018196181.tif 000003
【図２】
2018196181.tif 000004
【図３】
2018196181.tif 000005
【図４】
2018196181.tif 000006
【図５】
2018196181.tif 000007
【図６】
2018196181.tif 000008